(57)【要約】【解決すべき課題】降雨時あるいは夏場における発汗等あらゆる状況下においてもゴルファーの素手に密着して的確なスイングを可能にしたゴルフ用手袋を提供する。【課題を解決するための手段】ゴルファーの手指を含めた手の掌側領域および甲側領域全体を密に覆うことができる大きさに形成したゴルフ用の手袋であって、手袋本体２０における小指部の下側から手首の間の略中間位置の内面側に、掌側領域から甲側領域に跨がるようにして最も高い滑り抵抗を示現する多孔質状のＡＢＳ弾性樹脂膜からなる防滑片１４を付設した。【選択図】図１
2008202154.tif 000002
【特許請求の範囲】
【請求項１】
ゴルファーの手指を含めた手の掌側領域および甲側領域全体を密に覆うことができる大きさに形成したゴルフ用の手袋であって、手袋本体の掌側領域ないし甲側領域における少なくともゴルフクラブのグリップ部が当接する箇所の内面側に、ゴルファーの手から発汗される水分や降雨時に浸入する水分に対して高い滑り抵抗を示現する防滑片を付設したことを特徴とするゴルフ用手袋。
【請求項２】
ゴルファーの手指を含めた手の掌側領域および甲側領域全体を密に覆うことができる大きさに形成したゴルフ用の手袋であって、手袋本体における小指部の下側から手首の間の略中間位置の内面側に、掌側領域から甲側領域に跨がるようにして最も高い滑り抵抗を示現する多孔質状のＡＢＳ弾性樹脂膜からなる防滑片を付設したことを特徴とするゴルフ用手袋。
【請求項３】
ゴルファーの手指を含めた手の掌側領域および甲側領域全体を密に覆うことができる大きさに形成したゴルフ用の手袋であって、手袋本体の掌側領域における親指部を除いた各指部の内面側の付け根付近を横断する横断片を形成すると共に、ゴルファーの手のひらの反生命線方向に延びるように湾曲させた下側片を延設した発泡ポリウレタン樹脂膜からなる防滑片を手袋本体の内面側に付設したことを特徴とするゴルフ用手袋。
【請求項４】
ゴルファーの手指を含めた手の掌側領域および甲側領域全体を密に覆うことができる大きさに形成したゴルフ用の手袋であって、手袋本体の甲側領域における人指し指部の内面側下端付近からアクセス用開口部を閉じるため手袋本体に縫着されている係着ベルト片の方向に向けて斜行状をなすように微細な凹凸状の滑り止め突部を形成した人工皮革からなる防滑片を手袋本体の内面側に付設したことを特徴とするゴルフ用手袋。
【発明の詳細な説明】
【技術分野】
【０００１】
本発明は降雨時あるいは夏場における発汗等あらゆる状況下においてもゴルファーの素手に密着して的確なスイングを可能にしたゴルフ用手袋に関する。
【背景技術】
【０００２】
ゴルフプレーに際しては、一般的にクラブとの一体感を得てスイングに正確を期すため、ゴルファーの手には手袋が必須アイテムとなっている。このゴルフ用手袋は、一般カジュアル用あるいは防寒用のものと異なり、きわめて薄い素材を用いてゴルファーの手の掌側領域及び甲側領域全体を密に覆うように形成したもので、右利きのプレーヤーの場合は主に左手に手袋を嵌めることにより、当該手袋を介してゴルファーの左手掌側によってクラブのグリップ部が握られることとなる。
【０００３】
その際、ゴルフグラブのグリップ部と手袋本体の掌側表面とが滑らないように様々な工夫がなされている。すなわち、次に示す特許文献１には手袋の掌側領域（表面側）に生地を縫い縮めたシャーリング加工を施して滑動を防ぐようにしたものが示されている。
【０００４】
また、特許文献２には伸縮性を有する繊維素材を用いた手袋本体のゴルフクラブのグリップに触れる部分に樹脂又はゴム製の滑り止めを設けてゴルフクラブとの一体感を向上させることが記載されている。
【特許文献１】特開平８−１８８９０９公報
【特許文献２】特開２００３−１７５１４３公報
【発明の開示】
【発明が解決しようとする課題】
【０００５】
前記したように、手袋本体の掌側領域表面にシャーリング加工を施したり、あるいは樹脂又はゴム製の滑り止めを取り付けてグリップを確実にするような工夫が既に行われている。しかしながら、これらは殆ど手袋本体の表面における滑り止めの工夫であって、ゴルファーの素手と手袋本体の内面側における滑りの防止を図ったものではない。
【０００６】
すなわち、降雨時や、夏場においてはゴルファーの手のひらに発汗による水分が付着し、手袋本体の内面側との間に水分が介在することとなって非常に滑り易い状態となり、手袋本体の表面において滑り止め加工が施されていたとしても、手袋本体内部において滑り易い状態となっているため、グリップが安定せずミスショットの原因にもなるという問題点がある。
【０００７】
そこで本発明は、前記した従来のゴルフ用手袋の問題点を解消し、手袋本体の内面側特定箇所に顕著な滑り止め特性を示現する防滑片を付設して、降雨時ないし夏場においても安定したグリップを確保できるようにしたゴルフ用手袋を提供することを目的とするものである。
【課題を解決するための手段】
【０００８】
上記目的を達成するための本発明の構成を詳述すれば、請求項１に係る発明は、ゴルファーの手指を含めた手の掌側領域および甲側領域全体を密に覆うことができる大きさに形成したゴルフ用の手袋であって、手袋本体の掌側領域ないし甲側領域における少なくともゴルフクラブのグリップ部が当接する箇所の内面側に、ゴルファーの手から発汗される水分や降雨時に浸入する水分に対して高い滑り抵抗を示現する防滑片を付設したことを特徴とするゴルフ用手袋である。
【０００９】
請求項２に係る発明は、ゴルファーの手指を含めた手の掌側領域および甲側領域全体を密に覆うことができる大きさに形成したゴルフ用の手袋であって、手袋本体における小指部の下側から手首の間の略中間位置の内面側に、掌側領域から甲側領域に跨がるようにして最も高い滑り抵抗を示現する多孔質状のＡＢＳ弾性樹脂膜からなる防滑片を付設したことを特徴とするゴルフ用手袋である。
【００１０】
また、請求項３に係る発明は、ゴルファーの手指を含めた手の掌側領域および甲側領域全体を密に覆うことができる大きさに形成したゴルフ用の手袋であって、手袋本体の掌側領域における親指部を除いた各指部の内面側の付け根付近を横断する横断片を形成すると共に、ゴルファーの手のひらの反生命線方向に延びるように湾曲させた下側片を延設した発泡ポリウレタン樹脂膜からなる防滑片を手袋本体の内面側に付設したことを特徴とするゴルフ用手袋である。
【００１１】
さらに、請求項４に係る発明は、ゴルファーの手指を含めた手の掌側領域および甲側領域全体を密に覆うことができる大きさに形成したゴルフ用の手袋であって、手袋本体の甲側領域における人指し指部の内面側下端付近からアクセス用開口部を閉じるため手袋本体に縫着されている係着ベルト片の方向に向けて斜行状をなすように微細な凹凸状の滑り止め突部を形成した人工皮革からなる防滑片を手袋本体の内面側に付設したことを特徴とするゴルフ用手袋である。
【発明の効果】
【００１２】
このように、本発明は、手袋本体の掌側領域ないし甲側領域における少なくともゴルフクラブのグリップ部が当接する箇所の内面側特定箇所に、ゴルファーの手から発汗される水分や降雨時に浸入する水分に対して高い滑り抵抗を示現する防滑片を付設したことを特徴とするものであり、これにより如何なる状況下においても安定したグリップを得ることができ、ミスショットを有効に防ぐことができる。
【発明を実施するための最良の形態】
【００１３】
以下、図面に基づき本発明に係るゴルフ用手袋の実施形態を詳細に説明する。
【００１４】
図１は縫製前の手袋パーツのうちゴルファーの手の主に掌側領域を覆う掌部片を示す展開図、図２は縫製前の手袋パーツのうちゴルファーの手の主に甲側領域を覆う３つに分割された甲部片を示す展開図、図３は親指部の掌側片と甲側片を示す展開図、図４は手袋本体の内面側に付設する各種防滑片の展開図、図５は各パーツを所定の縫合ラインに沿って縫着して完成させた本発明ゴルフ用手袋の掌側を示す斜視図、図６は本発明ゴルフ用手袋の甲側を示す斜視図である。
【００１５】
図中１は手袋本体２０をなす縫製前の手袋パーツのうちゴルファーの手の主に掌側領域を覆う掌部片を示し、当該掌部片１をなす素材としては、天然皮革、合成皮革、人工皮革等従来と同様素材を用いることができる。掌部片１は図示する実施形態においては、人指し指部の掌側２、中指部の掌側３、薬指部の掌側４及び小指部の掌側５の他、小指部の甲側６も一体に形成された状態となっているが、小指部の甲側６は後述する甲部片の方に設けるようにしてもよいのは勿論である。
【００１６】
７は縫製前の手袋パーツのうちゴルファーの手の主に甲側領域を覆う３つに分割された甲部片の全体を示し、そのうち８は人指し指部の甲側９、中指部の甲側１０及び薬指部の甲側１１を連設した甲側指部片を示す。１２は甲部中間片、１３は甲部下端片をそれぞれ示す。また、２１は親指部の掌側片、２２は親指部の甲側片をそれぞれ示す。なお、これら甲部片７及び親指部の掌側片２１、甲側片２２は前記掌部片１と同様に、天然皮革、合成皮革、人工皮革等従来と同様素材を用いて製することができる。
【００１７】
手袋本体２０の完成には、前記した各パーツの他、各指部の間に挿着する複数本の襠片や、アクセス用開口部を閉じるため面ファスナー等の係着部材を取付けるベルト片等が不可欠であるが、これらについては図示を省略してある。
【００１８】
１４は基材ポリエステル繊維に多孔性の改質ＡＢＳ系弾性樹脂膜を均一に着床させてなる防滑片であり、僅かなグリップ荷重（握り圧力）でもゴルファーの手のひら表皮に密着し、発汗や水濡れでも、良好に密着し最も高い滑り抵抗を示現する。当該防滑片１４は、掌部片１における小指部掌側５の下側から手首の間の略中間位置の内面側、すなわち図１中の点線Ａで囲った位置に、掌側領域から甲側領域に跨がるようにして縫着等の手段により付設するものである。
【００１９】
掌部片１における小指部掌側５の下側から手首の間の略中間位置は、ゴルフクラブのグリップ部が手のひらに最も強く当接する箇所であり、手袋本体２０における当該箇所に最も高い滑り抵抗を示現する多孔質状のＡＢＳ系弾性樹脂膜からなる防滑片１４を設けることによってグリップを確実なものとすることができる。
【００２０】
１５は良好な滑り抵抗を示現する発泡ポリウレタン樹脂膜からなる防滑片であり、当該防滑片１５は、掌部片１における親指部を除いた各指部の内面側の付け根付近を横断する横断片１６を形成すると共に、ゴルファーの手のひらの反生命線方向に延びるように湾曲した下側片１７を形成してあり、これを掌部片１における図１中の点線Ｂで囲った位置に、その周縁部を縫着等の手段によって取付けるものである。
【００２１】
防滑片１５は上記のように掌部片１における親指部を除いた各指部の内面側の付け根付近を横断する横断片１６を形成すると共に、ゴルファーの手のひらの反生命線方向に延びるように湾曲した下側片１７を形成してあるから、ゴルファーの手のひらに汗等が介在しても手袋本体１の内側がゴルファーの手に密着し、スイングの際にクラブがずれるのを有効に防止することができる。
【００２２】
１８は微細な凹凸状の滑り止め突部を形成した人工皮革からなる防滑片であり、当該防滑片１８を、甲部片７における甲部中間片１２の内面側、すなわち、ゴルファーの手のひらに当接する側に縫着等の手段によって取付けるものである。なお、甲部片７における甲部中間片１２は、人指し指部の下端付近からアクセス用開口部を閉じるため手袋本体２０に縫着される係着ベルト片１９の方向にかけての斜行状部分に相当するものである。
【００２３】
甲部片７における甲部中間片１２の内面側に防滑片１８を設けることによって、掌部片１側に防滑片１４及び防滑片１５を付設したことに伴い手袋本体２０の甲側に滑りが集中するのを有効に防ぐことができる。  どのような状況下においてもゴルファーの素手に密着することのできるゴルフ用手袋を提供することができる。
【００２４】
このように、本発明ゴルフ用手袋は、手袋本体の掌側領域ないし甲側領域における少なくともゴルフクラブのグリップ部が当接する箇所の内面側特定箇所に、ゴルファーの手から発汗される水分や降雨時に浸入する水分に対して高い滑り抵抗を示現する防滑片を付設したことを特徴とするものであり、これにより如何なる状況下においても安定したグリップを得ることができ、ミスショットを有効に防ぐことができるものである。
【図面の簡単な説明】
【００２５】
【図１】縫製前の手袋パーツのうちゴルファーの手の主に掌側領域を覆う掌部片を示す展開図である。
【図２】縫製前の手袋パーツのうちゴルファーの手の主に甲側領域を覆う３つに分割された甲部片を示す展開図である。
【図３】親指部の掌側片と甲側片を示す展開図である。
【図４】手袋本体の内面側に付設する各種防滑片の展開図である。
【図５】各パーツを所定の縫合ラインに沿って縫着して完成させた本発明ゴルフ用手袋の掌側を示す斜視図である。
【図６】本発明ゴルフ用手袋の甲側を示す斜視図である。
【符号の説明】
【００２６】
１：掌部片
２：人指し指部の掌側
３：中指部の掌側
４：薬指部の掌側
５：小指部の掌側
６：小指部の甲側
７：甲部片
８：甲側指部片
９：人指し指部の甲側
１０：中指部の甲側
１１：薬指部の甲側
１２：甲部中間片
１３：甲部下端片
１４：防滑片
１５：防滑片
１６：横断片
１７：下側片
１８：防滑片
１９：係着ベルト片
２０：手袋本体
２１：（親指部の）掌側片
２２：（親指部の）甲側片
【図１】
2008202154.tif 000003
【図２】
2008202154.tif 000004
【図３】
2008202154.tif 000005
【図４】
2008202154.tif 000006
【図５】
2008202154.tif 000007
【図６】
2008202154.tif 000008